(57)【特許請求の範囲】
【請求項１】
内部にサーミスタを保持し、被加熱物に接触する金属製の集熱板及びこの集熱板と固定されるホルダーを備えた温度センサーにおいて、前記サーミスタから電気導線を取り出し、前記電気導線に絶縁物で被覆されたリード線を接続し、前記電気導線の両方及び前記リード線と電気導線の接続部を含むリード線の両方を高耐熱樹脂チューブで被覆し、かつ前記高耐熱樹脂チューブを覆うように別の高耐熱樹脂チューブで被覆し、かつ前記高耐熱樹脂チューブで被覆されたリード線の両方を不燃材編組チューブで被覆した温度センサ。
【請求項２】
サーミスタからの電気導線及びリード線を被覆する高耐熱樹脂チューブとして、ポリイミド又はポリアミド樹脂で成形されたチューブを用い、前記チューブで被覆されたリード線を被覆する不燃材編組チューブとして、ガラス編組チューブを用いた請求項１記載の温度センサ。
【請求項３】
電気導線の両方及びリード線と電気導線の接続部を含むリード線の両方をポリイミド又はポリアミド樹脂で成形された高耐熱樹脂チューブで被覆し、前記個々に被覆した高耐熱樹脂チューブを束ねて別の高耐熱樹脂チューブで被覆して重積層構成とし、前記重積層された高耐熱樹脂チューブは、被覆全域において一体的に構成した請求項１記載の温度センサ。
【発明の詳細な説明】
【０００１】
【産業上の利用分野】
本発明は調理器において、被加熱物に接触して被加熱物の温度を検知する温度センサに関し、特に温度センサのサーミスタと接続されたリード線の電気絶縁の構成手段に関するものである。
【０００２】
【従来の技術】
従来のこの種の温度センサは、図６に示すように、サーミスタ１から電気導線２が２本導出されリード線３と接続されている。電気導線２は一般的にデュメット線等の単線でポリイミド樹脂で成形されたチューブＡ４状のものに挿通され、テフロン樹脂５で被覆され芯線６に数本の細線を撚った撚線又は単線を有するリード線３を電気接続し、この電気接続部７にチューブＢ８を個々に設けてリード線５間の電気絶縁構成を有し、チューブ４から導出されたリード線３は２本が撚られて１本状にされチューブＣ９に挿通されている。なお、絶縁体として使用されているポリイミド樹脂の常用耐熱温度は約４００℃で、テフロン樹脂は約２６０℃程度である。
【０００３】
【発明が解決しようとする課題】
しかしながら、上記のような構成では、電気導線２に接続された２本のリード線５は相互に撚られて１本状にされさらにポリイミド樹脂で成形されたチューブＢ８で被覆されていたので、チューブＢ８が設けられた部分のリード線５は、ポリイミド樹脂の常用耐熱温度４００℃が撚られたリード線５との間には存在するが、撚られたリード線５は（図６のＡ−Ａ断面を示した図７の構成）芯線６をテフロン樹脂で被覆しているので常用耐熱温度は２６０℃である。
【０００４】
従って、この撚られたリード線５部分に２６０℃以上の高温が加わるとテフロン樹脂被覆は溶解して芯線６が電気的に接触してしまい、ポリイミド樹脂の常用耐熱温度４００℃が得られず、またサーミスタ１が温度変化のある雰囲気に触れた時にリード線５間に抵抗変化が本来は検知されるものが、抵抗変化を検知できず、したがって温度変化を検知することができないという課題を有していた。
【０００５】
また、このような構成を有した温度センサの耐熱温度は２６０℃で、温度センサ設置場所は２６０℃以下の部分が、この値を守るべき設置場所の構成上の工夫等が必要となるという課題を有していた。
【０００６】
また、チューブＡ４、チューブＢ８は、それぞれ分割されているために、電気導線２の引き回しにおいて曲げられた時、分割部分で電気導線２が曲げ部分から露出して電気的ショートが発生するという課題を有していた。
【０００７】
本発明は、かかる従来の課題を解決するもので、温度センサのサーミスタとリード線部分の常用耐熱温度を高めて温度センサの常用耐熱温度を高くし温度センサの設置場所等をより自由に選択できる温度センサを得ることを目的とするものである。
【０００８】
【課題を解決するための手段】
上記課題を解決するために、本発明の温度センサは、サーミスタを保持した集熱板をホルダーに固定し、絶縁体で被覆されたサーミスタから電気導線を取り出し、電気導線に絶縁物で被覆されたリード線を個々に接続し、前記電気導線の両方及び前記リード線と電気導線の接続部を含むリード線の両方を高耐熱樹脂チューブで被覆し、かつ前記高耐熱樹脂チューブを覆うように別の高耐熱樹脂チューブで被覆し、かつ前記高耐熱樹脂チューブで被覆されたリード線の両方を不燃材編組チューブで被覆したという構成を備えたものである。
【０００９】
【作用】
本発明は、上記した構成によって、サーミスタから取り出した電気導線及び電気導線に接続されたリード線の個々を高耐熱樹脂チューブで被覆して電気導線及びリード線を個々に保護したので、電気導線、リード線が低耐熱樹脂で被覆されていて耐熱温度以上にさらされ、被覆が溶解しても高耐熱樹脂が線間の絶縁体となって両線間に電気的なショートは生じない。
【００１０】
また、電気導線、リード線を高耐熱樹脂で被覆した上に、不燃材編組チューブに挿通したので、高耐熱樹脂がさらに高温にさらされて各々の線の被覆（低耐熱樹脂）及び高耐熱樹脂が溶解しても、さらに不燃材編組チューブにて被覆されているので線間の電気的ショートは生じない。
【００１１】
【実施例】
以下、本発明の一実施例を図面に基づいて説明する。なお、従来例と同一機能、同一作用を有する構成要素には同一番号を附与して説明を省略する。
【００１２】
図１〜図５において、１０は温度センサで集熱板１１にサーミスタ１を取り付け板１２で固定され、ホルダー１３に集熱板１１は固定されている。ホルダー１３はシャフト１４にて保持されて、調理器１５の所定の位置に保たれている。調理器１５での温度センサ１０は、バーナ１６の中央に保持されていて、ゴトク１７上に被加熱物を載置すると、被加熱物１８と接触する。バーナ１６の火炎１９で被加熱物が加熱される。２０はサーミスタ１の電気導線２を挿通したチューブＡ４と電気接続部７を挿通したチューブＢ８の個々を一体化した高耐熱樹脂のチューブＤである。２１はリード線５に設けたチューブＢ８の一部を被覆し、リード線５を被覆した不燃材を編み込んだ不燃材編組チューブで、不燃材編組チューブ２１はリード線５の一部又は全体に設けられ、リード線５を内包した不燃材編組チューブ２１はシャフト１４内に挿通されて調理器１５内に配線されている。
【００１３】
上記構成において、調理器１５のバーナ１６に火炎１９が形成されて被加熱物１８を加熱している時に温度センサ１０は被加熱物１８の底面に接触している。この時温度センサ１０は、集熱板１１で被加熱物１８にて接触し、集熱板１１に着設したサーミスタ１は、温度変化を感知してリード線３間に被加熱物１８の温度情報を抵抗変化に変換して出力している。この温度情報である抵抗変化にて調理器１５は制御されるように構成されている。このようにして使用されている調理器１５のバーナ１６が高温になった時、リード線３はシャフト１４及び不燃材編組チューブ２１を介して熱を受けて温度上昇していく。この時、リード線３の芯線６はテフロン樹脂で被覆されていると２６０℃になるまではテフロン樹脂は溶融することなく形状を維持しているが、２６０℃以上に上昇すると溶融して芯線６だけになるが不燃材編組チューブ２１で保護されているので、２本のリード線３は互いに接触して電気的なショートをすることはない。
【００１４】
従って、温度センサ１０は集熱板１１を介して被加熱物１８の温度変化をサーミスタ１の抵抗変化として検出して調理器１５の動作を制御し、従来例のように、リード線３が電気的ショートを生じてサーミスタ１抵抗がゼロ又は極小といった不具合が生じないという効果がある。
【００１５】
また、不燃材編組チューブ２１は、チューブＢ８の一部に被覆してリード線３を被覆したが、より高耐熱温度の温度センサ１０が要求される時にはチューブＤ２０の変わりに不燃材編組チューブ２１を挿通すれば得られる。
【００１６】
以上のような温度センサ１０の高耐熱を得るための高耐熱樹脂チューブＡ４、チューブＢ８、チューブＤ２０は、ポリイミド樹脂あるいはポリアミド樹脂で具体的には構成され、不燃材編組チューブ２１は、ガラス繊維を織り込んだガラス編組チューブである。
【００１７】
また、本発明は、チューブＤ２０を電気導線２からリード線５にわたって一体で被覆したことによって、高耐熱樹脂被覆部分を曲げても腰折れがなくなることによってチューブＡ４とチューブＢ８の境界部分から電気導線２が露出して両者間がショートすることがなくなる。
【００１８】
【発明の効果】
以上の説明から明らかのように本発明の温度センサによれば、次の効果が得られる。
【００１９】
（１）温度センサのサーミスタから導出された電気導線及びリード線に高耐熱樹脂の被覆を設けさらに、リード線及び高耐熱樹脂の一部又は全部により高耐熱で電気絶縁物を織り込んだ不燃材編組チューブを挿通したので、温度センサは、各線間での電気的ショートがなくなって常に正常に動作する。
【００２０】
（２）温度センサの線間の電気的ショートを、各線を被覆する絶縁材の耐熱温度を高くしたことと、不燃材編組チューブを用いて防止したので、温度センサを調理器内に装着した時に特別な防熱板、遮熱等をしなくても、温度センサが正常に動作する。
【００２１】
（３）サーミスタからの電気導線を束ねて一体の被覆を設けたので、剛性が増し、折り曲げ等に対しても電気的ショートを生じることなく常に正常に動作する。
【図面の簡単な説明】
【図１】本発明の一実施例における温度センサの要部断面図
【図２】同温度センサに搭載したサーミスタ、リード線部の要部断面図
【図３】図２のＢ−Ｂ線断面図
【図４】同温度センサを搭載した調理器の外観図
【図５】同調理器の要部断面図
【図６】従来の温度センサを構成するサーミスタ、リード線部の要部断面図
【図７】図６のＡ−Ａ線断面図
【符号の説明】
１  サーミスタ
２  電気導線
５  リード線
１１  集熱板
１３  ホルダー
２１  不燃材編組チューブ
Ｄ  高耐熱樹脂チューブ
【図１】
0003627285.tif 000002
【図２】
0003627285.tif 000003
【図３】
0003627285.tif 000004
【図４】
0003627285.tif 000005
【図５】
0003627285.tif 000006
【図６】
0003627285.tif 000007
【図７】
0003627285.tif 000008